(57)【要約】      （修正有）【課題】横たわっている間に着用者に衣服を着用させる着脱容易な衣服を提供する。【解決手段】連続シートである着脱容易な衣服は第１のシート１０と第２のシート２０を備える。第１のシートは第１の縁部１１と第１の係合部１２を備え、第１の縁部は第１のシートの一側に配置され、第１の係合部は第１の縁部に隣接している。第１のシートに接続された第２のシートは第２の縁部２１、縫目２２及びタブ２３を備える。第２の縁部は第２のシートの一側に配置され、縫目は第２の縁部に隣接して平行であり、タブは縫目と第２の縁部との間にあり、タブは第２の係合部２３１を有し、タブは縫目に沿っており、第１の係合部は第２の係合部に個別に接続され、第１の縁部は縫目に対応している。第１の縁部と第２の縁部によって、第１の接続された部分を第２の接続された部分に接続することにより、着用者が横になっている間に着用者は衣服を容易に着用することが達成できる。【選択図】図１
0003204008.tif 000002
【実用新案登録請求の範囲】
【請求項１】
連続シートである着脱容易な衣服であって、
第１のシートを備え、前記第１のシートは、
前記第１のシートの一側に配置される第１の縁部と、
前記第１の縁部に隣接する第１の係合部とを備え、
前記第１のシートに接続される第２のシートを備え、前記第２のシートは、
前記第２のシートの一側に配置される第２の縁部と、
前記第２の縁部に隣接して平行である縫目と、
前記縫目及び前記第２の縁部の間のタブとを備え、前記タブは第２の係合部を有し、タブは前記縫目に沿って折り畳まれ、前記第１のシートの前記第１の係合部は前記第２の係合部に個別に接続され、前記第１のシートの前記第１の縁部は前記縫目に対応することを特徴とする着脱容易な衣服。
【請求項２】
前記第１のシートの前記第１の係合部は前記第２のシートの前記第２の係合部に接続され、前記第１のシート及び前記第２のシートは上衣に構成されることを特徴とする請求項１記載の着脱容易な衣服。
【請求項３】
前記第１のシートは第１の布及び第２の布を備え、前記第１の布は前記第２の布に重ね合わされて前記上衣の前面にＶ形状を形成することを特徴とする請求項２記載の着脱容易な衣服。
【請求項４】
前記第１のシートの前記第１の係合部は前記第２のシートの前記第２の係合部に接続され、前記第１のシート及び前記第２のシートはズボンに構成され、前記第１のシートは、
前記第１のシートの前記第１の縁部に部分的に対応して前記ズボンの２足の間にある第１の内側縁部と、
前記第１の内側縁部に隣接して平行である第１の接続された部分とを備え、前記第２のシートは、
前記第２の縁部に部分的に対応して前記ズボンの足の間にある第２の内側縁部と、
前記第２の内側縁部に隣接して平行である内側縫目と、
前記内側縫目及び前記第２の内側縁部の間の内側タブとを備え、前記内側タブは第２の接続された部分を有し、前記第２の接続された部分は前記第１の接続された部分に個別に接続されることを特徴とする請求項１記載の着脱容易な衣服。
【請求項５】
前記ズボンはウエストバンドを備え、前記ウエストバンドは弾性バンド及び引き紐を備え、前記弾性バンドは前記ウエストバンドに弾性的に接続され、前記引き紐は前記ウエストバンドを通って挿通されることを特徴とする請求項４記載の着脱容易な衣服。
【請求項６】
前記第１の係合部及び前記第２の係合部はスナップボタン、ロープ、ジッパー又はＶＥＬＣＲＯ（登録商標）で販売されている面ファスナーであることを特徴とする請求項１記載の着脱容易な衣服。
【請求項７】
前記第１の係合部及び前記第２の係合部はスナップボタン、ロープ、ジッパー又はＶＥＬＣＲＯ（登録商標）で販売されている面ファスナーであることを特徴とする請求項２記載の着脱容易な衣服。
【請求項８】
前記第１の係合部及び前記第２の係合部はスナップボタン、ロープ、ジッパー又はＶＥＬＣＲＯ（登録商標）で販売されている面ファスナーであることを特徴とする請求項３記載の着脱容易な衣服。
【請求項９】
前記第１の係合部及び前記第２の係合部はスナップボタン、ロープ、ジッパー又はＶＥＬＣＲＯ（登録商標）で販売されている面ファスナーであることを特徴とする請求項４記載の着脱容易な衣服。
【請求項１０】
前記第１の係合部及び前記第２の係合部はスナップボタン、ロープ、ジッパー又はＶＥＬＣＲＯ（登録商標）で販売されている面ファスナーであることを特徴とする請求項５記載の着脱容易な衣服。
【請求項１１】
前記第１の接続された部分及び前記第２の接続された部分はスナップボタン、ロープ、ジッパー又はＶＥＬＣＲＯ（登録商標）で販売されている面ファスナーであることを特徴とする請求項４記載の着脱容易な衣服。
【請求項１２】
前記第１の接続された部分及び前記第２の接続された部分はスナップボタン、ロープ、ジッパー又はＶＥＬＣＲＯ（登録商標）で販売されている面ファスナーであることを特徴とする請求項５記載の着脱容易な衣服。
【考案の詳細な説明】
【技術分野】
【０００１】
本考案は、着脱容易な衣服に関し、特に１枚のシートから作製され、シートの側部で接続して衣服を形成する縁部を有する着脱容易な衣服に係わる。
【背景技術】
【０００２】
最近では、高齢化と低出生率は世界的にますます深刻になっており、それで介護を必要とする人口が増大している。人々が高齢化している場合には、臓器や手足の関節も高齢化している。軽度のケースでは、高齢者はまだ自由に歩くことができるが、重症の場合は、障害又は移動不能につながり、そして高齢者は長期的にベッドに横たわることになる。その結果、高齢者は介護者によって毎日のルーチンで援助を必要とする。
【０００３】
介護者について、過酷な作業の１つは、患者に対して彼／彼女の衣服を変更することを補助することである。寝たきりの患者は不動状態に近い。したがって、患者が介護者の助けを借りて衣服を変更しているとき介護者は患者の体をやっとの思いで移動して患者から汚れた衣服を取り除く必要がある。患者は介護者によって清潔な衣服に着用するが、これも困難な作業である。
【０００４】
したがって、介護者が患者に容易に着用できる衣服が必要とされ、もっと理想的には、患者であっても彼自身／彼女自身によって衣服を容易に着用でき、脱衣できることが好ましい。従来技術における欠点を解決する必要がある。
【考案の概要】
【考案が解決しようとする課題】
【０００５】
上記の説明によれば、本考案の目的は、着用者が横たわっている間に着用者に衣服を着用させる着脱容易な衣服を提供することである。
【課題を解決するための手段】
【０００６】
本考案の上記目的を達成するために、本考案は、第１のシート及び第２のシートを備える連続シートである着脱容易な衣服を提供するものである。第１のシートは第１の縁部及び第１の係合部を備え、第１の縁部は第１のシートの一側に配置され、第１の係合部は第１の縁部に隣接している。第２のシートは、第１のシートに接続され、第２の縁部、縫目及びタブを備える。第２の縁部は第２のシートの一側に配置され、縫目は第２の縁部に隣接して平行であり、タブは縫目及び第２の縁部間にあり、タブは第２の係合部を備え、それでタブは縫目に沿って折り畳まれ、第１のシートの第１の係合部は第２の係合部に個別に接続され、第１のシートの第１の縁部は縫目に対応している。
【０００７】
好ましくは、第１のシートの第１の係合部は、第２のシートの第２の係合部に接続され、第１のシート及び第２のシートは上衣に構成される。
【０００８】
好ましくは、第１のシートは、第１の布（生地）及び第２の布から成り、第１の布は第２の布に重ね合わされ上衣の前面にＶ形状を形成する。
【０００９】
好ましくは、第１のシートの第１の係合部は第２のシートの第２の係合部に接続され、第１のシート及び第２のシートはズボンに構成され、それで第１のシートは第１の内側縁部及び第１の接続された部分を備える。第１の内側縁部は第１のシートの第１の縁部に部分的に対応し、ズボンの２足の間にあり、第１の接続された部分は第１の内側縁部に隣接して平行である。第２のシートは第２の内側縁部、内側縫目、内側タブを備える。第２の内側縁部は第２の縁部に部分的に対応し、ズボンの２足の間にあり、内側縫目は第２の内側縁部に隣接して平行であり、内側タブは内側縫目及び第２の内側縁部の間にあり、内側タブは第２の接続された部分を備え、第２の接続された部分は第１の接続された部分に個別に接続される。
【００１０】
より好ましくは、ズボンはウエストバンドを備え、ウエストバンドは弾性バンド及び引き紐を備え、弾性バンドはウエストバンドに弾性的に接続され、引き紐はウエストバンドに挿通される。
【００１１】
好ましくは、第１の係合部及び第２の係合部は、スナップボタン、ロープ、ジッパー又はＶＥＬＣＲＯ（登録商標）で販売されている面ファスナーで販売されている面ファスナーである。
【００１２】
より好ましくは、第１の接続された部分と第２の接続された部分は、スナップボタン、ロープ、ジッパー又はＶＥＬＣＲＯ（登録商標）で販売されている面ファスナーで販売されている面ファスナーである。
【００１３】
本考案の着脱容易な衣服の利点は、衣料が一般的な大人と子供のためだけでなく、障害者、寝たきりの患者又は要看護高齢者のために着用できるということである。着用者が横たわっている間に第１の縁部及び第２の縁部の開放縁部を利用し、第１の接続された部分を第２の接続された部分に接続すると着用者は横たわっている間に衣服を容易に着用することができる。しかも、着脱容易な衣服は、前、後、左、右の区別を有していないので、ユーザが間違った着用方向を心配することはない。
【００１４】
本考案の他の目的、利点及び新規な特長は以下の詳細な説明から図面と併せて参照すれば一層明らかとなる。
【図面の簡単な説明】
【００１５】
【図１】図１は、本考案の着脱容易な衣服における好ましい実施例の斜視図である。
【図２Ａ】図２Ａは、本考案の着脱容易な衣服における第１の実施例の第１の動作図を示す。
【図２Ｂ】図２Ｂは、本考案の着脱容易な衣服における第１の好ましい実施例の第２の動作図を示す。
【図２Ｃ】図２Ｃは、本考案の着脱容易な衣服における第１の好ましい実施例の第３の動作図を示す。
【図３Ａ】図３Ａは、本考案の着脱容易な衣服における第１の好ましい実施例の正面斜視図である。
【図３Ｂ】図３Ｂは、本考案の着脱容易な衣服における第１の好ましい実施例の裏返し斜視図である。
【図４】図4は、本考案の着脱容易な衣服における第２の好ましい実施例の斜視図である。
【図５】図５は、本考案の着脱容易な衣服における第３の好ましい実施例の斜視図である。
【図６】図６は、本考案の着脱容易な衣服における第４の好ましい実施例の斜視図である。
【図７】図７は、本考案の着脱容易な衣服における第５の好ましい実施例の斜視図である。
【図８Ａ】図８Ａは、本考案の着脱容易な衣服における第５の好ましい実施例の第１の動作図を示す。
【図８Ｂ】図８Ｂは、本考案の着脱容易な衣服における第５の好ましい実施例の第２の動作図を示す。
【図８Ｃ】図８Ｃは、本考案の着脱容易な衣服における第５の好ましい実施例の第３の動作図を示す。
【図９Ａ】図９Ａは、本考案の着脱容易な衣服における第５の実施例の正面斜視図である。
【図９Ｂ】図９Ｂは、本考案の着脱容易な衣服における第５の好ましい実施例の裏返し斜視図である。
【図１０】図１０は、本考案の着脱容易な衣服における第６の好ましい実施例の斜視図である。
【図１１】図１１は、本考案の着脱容易な衣服における第７の好ましい実施例の斜視図である。
【考案を実施するための形態】
【００１６】
以下、本考案にしたがう着脱容易、即ち着衣、脱衣容易な衣服をその好ましい実施例について図面を参照して詳述する。
【００１７】
図１に示すように、本考案の第１の好ましい実施例は着脱容易な衣服を提供するもので、これは第１のシート１０及び第２のシート２０を備える連続シートである。
【００１８】
第１のシート１０は第１の縁部１１及び第１の係合部１２を備え、第１の縁部１１は第１のシート１０の一側に配置され、第１の係合部１２は第１の縁部１１に隣接している。第１のシート１０に接続された第２のシート２０は第２の縁部２１、縫目２２及びタブ２３を備える。第２の縁部２１は第２のシート２０の一側に配置され、縫目２２は第２の縁部２１に隣接して平行であり、タブ２３は縫目２２及び第２の縁部２１の間にあり、タブ２３は第２の係合部２３１を備え、それでタブ２３は縫い目２２に沿って折り畳まれ、第１の係合部１２は第２の係合部２３１に個別に接続され、第１の縁部１１は縫目２２に対応している。第１の係合部１２が第２の係合部２３１に接続されるとき、第１のシート１０及び第２のシート２０は上衣に構成される。好ましい実施例において、第１の係合部１２及び第２の係合部２３１はスナップボタン、ロープ、ジッパー又はＶＥＬＣＲＯ（登録商標）で販売されている面ファスナーで販売されている面ファスナーを含むが、これらに限定されるものではない。好ましい実施例において、第１の係合部１２は複数のソケットであり、第２の係合部２３１は複数のソケットに対応して留める複数のスタッドである。
【００１９】
図２Ａ及び図２Ｂに示すように、本考案の第１の好ましい実施例が使用されるとき、第１のシート１０の第１の縁部１１及び第２のシート２０の第２の縁部２１に因り上衣の一側は開放されている。上衣を着用するために、ユーザの一方の腕が上衣の第１の縁部１１及び第２の縁部２１から第１の縁部１１及び第２の縁部２１と反対側の上衣の他の側に通して上衣の他の側から下支えする（図２Ａに示す）。次いで、タブ２３は縫目２２に沿って第１の係合部１２に向かって折り畳まれ、第２の縁部２１及び第２の係合部２３１を留めるようにし、第１の縁部１１は縫目２２に対応し、第１の縁部１１及び第２の縁部２１に配置される上衣の側面から下支えして上衣の着用を完了する（図２Ｂに示す）。ユーザが上衣を着用するとき、最初に左腕が上衣に挿入することができ（図２Ｂに示す）、その後第１の係合部１２は右腕の周りにあり、それに対応して第２の係合部２３１に留められる。図１及び図２Ｃに示すように、またユーザの右腕は最初に上衣に挿入することができ、その後第１の係合部１２は左腕の周りにあり、それに対応して、第２の係合部２３１に留められる（図２Ｃに示すように、第２の係合部２３１及び第１の係合部１２は、それらが第２のシート２０によって覆われているので図示されていない）。したがって、着脱容易な衣服はユーザの習慣及びニーズに応じて着用することができる。図３Ａ及び図３Ｂに示すように、上衣が正規の方向（図３Ａに示す）又は裏返し（図３Ｂに示す）で装着されることに拘わらず、第１の係合部１２はそれに対応して第２の係合部２３１に留めることができ、上衣は間違った着用方向又は側の問題はない。
【００２０】
上述の説明によれば、本考案の第１の好ましい実施例における上衣は、高齢者、子供或いは障害患者、特に腕を移動することができない患者又は寝たきりの患者などの何れのユーザにも適しているので、患者は容易に衣服を変更することができる。
【００２１】
図４に示すように、第２の好ましい実施例及び第１の好ましい実施例の相違点は、第１の係合部１２Ａ及び第２の係合部２３１Ａがロープであることである。第１の係合部１２Ａは第２の係合部２３１Ａで結ばれて上衣はユーザの腕や上半身を覆うことができ、それによって上衣を着用することが達成できる。
【００２２】
図５に示すように、第３の好ましい実施例及び第１の好ましい実施例の相違点は、第１のシート１０Ｂの第１の係合部１２Ｂ及び第２のシート２０Ｂのタブ２３Ｂの第２の係合部２３１ＢはＶＥＬＣＲＯ（登録商標）で販売されている面ファスナーで販売されている面ファスナーであることである。第１の縁部１１Ｂは、第２の係合部２３１Ｂに接続された第１の係合部１２Ｂにより第２の縁部２１Ｂに接続することができ、それでユーザの腕及び上半身は第１のシート１０Ｂ及び第２のシート２０Ｂにより覆われるようにし、それによって上衣を着用することを達成する。
【００２３】
図６に示すように、第４の好ましい実施例及び第１の好ましい実施例の相違点は、第１のシート１０Ｃが第１の布１３Ｃ及び第２の布１４Ｃを有し、第１の布１３Ｃは第２の布１４Ｃに重ね合わされて、和服（きもの）に類似する上衣の前面にＶ形状を形成することである。上衣は容易に着用できるだけでなく、また着物に類似してフロントネックラインの形状をもたらし、この上衣を着用することの美的魅力を向上させる。
【００２４】
図７に示すように、第５の好ましい実施例及び第１の好ましい実施例の相違点は、第１の係合部１２Ｄは第２の係合部２３１Ｄに接続され、第１のシート１０Ｄ及び第２のシート２０Ｄはズボンに構成され、第１のシート１０Ｄは第１の内側縁部１５Ｄ及び第１の接続された部分１６Ｄを有することである。第１の内側縁部１５Ｄは、第１の縁部１１Ｄに部分的に対応し、ズボンの２足の間にある。第１の接続された部分１６Ｄは第１の内側縁部１５Ｄに隣接して平行である。第２のシート２０Ｄは第２の内側縁部２４Ｄ、内側縫目２５Ｄ及び内側タブ２６Ｄから成る。第２の内側縁部２４Ｄは第２の縁部２１Ｄに部分的に対応し、ズボンの足の間にある。内側縫目２５Ｄは第２の内側縁部２４Ｄに隣接して平行である。内側タブ２６Ｄは内側縫目２５Ｄ及び第２の内側縁部２４Ｄの間にあり、内側タブ２６Ｄは第２の接続された部分２６１Ｄを有し、第２の接続された部分２６１Ｄは第１の接続された部分１６Ｄに個別に接続される。さらに、着脱容易な衣服は、第１のシート１０Ｄ及び第２のシート２０Ｄ並びにそれに隣接して第１の縁部１１Ｄ及び第２の縁部２１Ｄ上に同所に配置されたウエストバンド３０Ｄを有する。ウエストバンド３０Ｄは、弾性バンド３１Ｄ及び引き紐３２Ｄを有し、弾性バンド３１Ｄは、ウエストバンド３０Ｄに弾性的に接続され、引き紐３２Ｄはウエストバンド３０Ｄに通して挿入される。好ましい実施例において、第１の接続された部分１６Ｄ及び第２の接続された部分２６１Ｄは、スナップボタン、ロープ、ジッパー又はＶＥＬＣＲＯ（登録商標）で販売されている面ファスナーであるが、これらに限定されるものではない。好ましい実施例において、第１の接続された部分１６Ｄは複数のソケットであり、第２の接続された部分２６１Ｄは複数のソケットに対応して留められる複数のスタッドである。
【００２５】
図８Ａ及び図８Ｂに示すように、本考案の第５の好ましい実施例を使用するとき、ズボンに構成された第１のシート１０Ｄ及び第２のシート２０Ｄは、高齢者、子供或いは障害患者、特に腕を移動することができない患者又は寝たきりの患者などの何れのユーザにも適している。したがって、第５の好ましい実施例は着脱容易なズボンを提供する。例えば、患者がベッドでズボンを着用せんとするとき、第２のシート２０Ｄは患者の尻及び足の背後に配置され、その後腰及び足は第１のシート１０Ｄが前方に移動することで覆われる。第１の縁部１１Ｄと第１の内側縁部１５Ｄが縫目２２Ｄ及び内側縫目２５Ｄに対応して配置される後、第１の係合部１２Ｄは第２の係合部２３１Ｄに接続され、第１の接続された部分１６は第２の接続された部分２６１Ｄに接続され、ズボンを着用することが完了する。ウエストバンド３０Ｄは腰にウエストバンド３０Ｄを固定するための引き紐３２Ｄによって結ばれ、ウエストバンド３０Ｄの弾性は弾性バンド３１Ｄにより調整することができ患者が不快に感じることはないようにしている。図７及び図８Ｃに示すように、好ましい実施例において、患者がズボンを着用するとき、第１のシート１０Ｄは患者の腰、尻及び足の後方に配置され、その後腰及び足は第２のシート２０Ｄを前方に移動させることによって覆われる。第１の縁部１１Ｄ及び第１の内側縁部１５Ｄは縫目２２Ｄ及び内側縫目２５Ｄに対応して個別に配置され、第１の係合部１２Ｄは第２の係合部２３１Ｄに接続され、第１の接続された部分１６Ｄはそれに対応して第２の接続された部分２６１Ｄに接続され、それでズボンを着用することができる（図８Ｃに示すように、第１の係合部１２Ｄ、第２の係合部２３１Ｄ、第１の接続された部分１６Ｄ及び第２の接続された部分２６１Ｄはそれらが第２のシート２０Ｄによって覆われているので図示されていない）。患者は、前面又は背面を決めることなく、また間違って着用する側を心配せずに、上述の態様にしたがうことによりズボンを着用することができる。
【００２６】
図９Ａ及び図９Ｂに示すように、ズボンが正規の方向（図９Ａに示す）又は裏返し（図９Ｂに示す）で装着されることに拘わらず、第１の係合部１２Ｄは第２の係合部２３１Ｄと、第１の接続された部分１６Ｄは第２の接続された部分２６１Ｄと対応して互いに留められ、このためズボンは間違った着用方向又は側の問題がないのである。
【００２７】
図１０に示すように、第６の好ましい実施例及び第５の好ましい実施例の違いは、第１の係合部１２Ｅ、第２の係合部２３１Ｅ、第１の接続された部分１６Ｅ及び第２の接続された部分２６１Ｅがロープであることである。第１の係合部１２Ｅは第２の係合部２３１Ｅと、第１の接続された部分１６Ｅは第２の接続された部分２６１Ｅと対応して互いに結ばれ、このため患者はズボンを容易に着用することができる。
【００２８】
図１１に示すように、第７の好ましい実施例及び第６の好ましい実施例の違いは、第１の係合部１２Ｆ、第２の係合部２３１Ｆ、第１の接続された部分１６Ｆ及び第２の接続された部分２６１Ｆは、ＶＥＬＣＲＯ（登録商標）で販売されている面ファスナーであることである。第１の係合部１２Ｆは第２の係合部２３１Ｆと、第１の接続された部分１６Ｆは第２の接続された部分２６１Ｆと対応して互いに接続でき、それで患者の腰、尻及び足が第１のシート１０Ｆ及び第２のシート２０Ｆで覆われ、患者はズボンを容易に着用することができる。
【００２９】
本考案のつかの特徴及び利点が本考案の構造及び特長と共に、上記説明に記載されているにも拘らず、その開示は単なる例示である。変更は、その詳細、特に形状、寸法及び部品の配置の問題として実用新案登録請求の範囲が表現している用語の広い一般的な意味によって示される全範囲に亘り考案の原理内で行うことができる。
【符号の説明】
【００３０】
１０・・・第１のシート
２０・・・第２のシート
１１・・・第１の縁部
２１・・・第２の縁部
１２・・・第１の係合部
２３１・・・第２の係合部
２２・・・縫目
２３・・・タブ
１２Ａ・・・第１の係合部
２３１Ａ・・・第２の係合部
１０Ｂ・・・第１のシート
２０Ｂ・・・第２のシート
１１Ｂ・・・第１の縁部
２１Ｂ・・・第２の縁部
１２Ｂ・・・第１の係合部
２３１Ｂ・・・第２の係合部
タブ・・・２３Ｂ
１０Ｃ・・・第１のシート
１３Ｃ・・・第１の布
１４Ｃ・・・第２の布
１０Ｄ・・・第１のシート
２０Ｄ・・・第２のシート
１１Ｄ・・・第１の縁部
２１Ｄ・・・第２の縁部
１２Ｄ・・・第１の係合部
２３１Ｄ・・・第２の係合部
１５Ｄ・・・第１の内側縁部
２４Ｄ・・・第２の内側縁部
１６Ｄ・・・第１の接続された部分
２６１Ｄ・・・第２の接続された部分
２５Ｄ・・・内側縫目
２６Ｄ・・・内側タブ
３０Ｄ・・・ウエストバンド
３１Ｄ・・・弾性バンド
３２Ｄ・・・引き紐
２２Ｄ・・・縫目
１２Ｅ・・・第１の係合部
２３１Ｅ・・・第２の係合部
１６Ｅ・・・第１の接続された部分
２６１Ｅ・・・第２の接続された部分
１２Ｆ・・・第１の係合部
２３１Ｆ・・・第２の係合部
１６Ｆ・・・第１の接続された部分
２６１Ｆ・・・第２の接続された部分
１０Ｆ・・・第１のシート
２０Ｆ・・・第２のシート
【図１】
0003204008.tif 000003
【図２Ａ】
0003204008.tif 000004
【図２Ｂ】
0003204008.tif 000005
【図２Ｃ】
0003204008.tif 000006
【図３Ａ】
0003204008.tif 000007
【図３Ｂ】
0003204008.tif 000008
【図４】
0003204008.tif 000009
【図５】
0003204008.tif 000010
【図６】
0003204008.tif 000011
【図７】
0003204008.tif 000012
【図８Ａ】
0003204008.tif 000013
【図８Ｂ】
0003204008.tif 000014
【図８Ｃ】
0003204008.tif 000015
【図９Ａ】
0003204008.tif 000016
【図９Ｂ】
0003204008.tif 000017
【図１０】
0003204008.tif 000018
【図１１】
0003204008.tif 000019
【手続補正書】
【提出日】平成28年3月1日(2016.3.1)
【手続補正１】
【補正対象書類名】実用新案登録請求の範囲
【補正対象項目名】全文
【補正方法】変更
【補正の内容】
【実用新案登録請求の範囲】
【請求項１】
連続シートである着脱容易な衣服であって、
第１のシートを備え、前記第１のシートは、
前記第１のシートの一側に配置される第１の縁部と、
前記第１の縁部に隣接する第１の係合部とを備え、
前記第１のシートに接続される第２のシートを備え、前記第２のシートは、
前記第２のシートの一側に配置される第２の縁部と、
前記第２の縁部に隣接して平行である縫目と、
前記縫目及び前記第２の縁部の間のタブとを備え、前記タブは第２の係合部を有し、タブは前記縫目に沿って折り畳まれ、前記第１のシートの前記第１の係合部は前記第２の係合部に個別に接続され、前記第１のシートの前記第１の縁部は前記縫目に対応することを特徴とする着脱容易な衣服。
【請求項２】
前記第１のシートの前記第１の係合部は前記第２のシートの前記第２の係合部に接続され、前記第１のシート及び前記第２のシートは上衣に構成されることを特徴とする請求項１記載の着脱容易な衣服。
【請求項３】
前記第１のシートは第１の布及び第２の布を備え、前記第１の布は前記第２の布に重ね合わされて前記上衣の前面にＶ形状を形成することを特徴とする請求項２記載の着脱容易な衣服。
【請求項４】
前記第１のシートの前記第１の係合部は前記第２のシートの前記第２の係合部に接続され、前記第１のシート及び前記第２のシートはズボンに構成され、前記第１のシートは、
前記第１のシートの前記第１の縁部に部分的に対応して前記ズボンの２足の間にある第１の内側縁部と、
前記第１の内側縁部に隣接して平行である第１の接続された部分とを備え、前記第２のシートは、
前記第２の縁部に部分的に対応して前記ズボンの足の間にある第２の内側縁部と、
前記第２の内側縁部に隣接して平行である内側縫目と、
前記内側縫目及び前記第２の内側縁部の間の内側タブとを備え、前記内側タブは第２の接続された部分を有し、前記第２の接続された部分は前記第１の接続された部分に個別に接続されることを特徴とする請求項１記載の着脱容易な衣服。
【請求項５】
前記ズボンはウエストバンドを備え、前記ウエストバンドは弾性バンド及び引き紐を備え、前記弾性バンドは前記ウエストバンドに弾性的に接続され、前記引き紐は前記ウエストバンドを通って挿通されることを特徴とする請求項４記載の着脱容易な衣服。
【請求項６】
前記第１の係合部及び前記第２の係合部はスナップボタン、ロープ、ジッパー又は面ファスナーであることを特徴とする請求項１記載の着脱容易な衣服。
【請求項７】
前記第１の係合部及び前記第２の係合部はスナップボタン、ロープ、ジッパー又は面ファスナーであることを特徴とする請求項２記載の着脱容易な衣服。
【請求項８】
前記第１の係合部及び前記第２の係合部はスナップボタン、ロープ、ジッパー又は面ファスナーであることを特徴とする請求項３記載の着脱容易な衣服。
【請求項９】
前記第１の係合部及び前記第２の係合部はスナップボタン、ロープ、ジッパー又は面ファスナーであることを特徴とする請求項４記載の着脱容易な衣服。
【請求項１０】
前記第１の係合部及び前記第２の係合部はスナップボタン、ロープ、ジッパー又は面ファスナーであることを特徴とする請求項５記載の着脱容易な衣服。
【請求項１１】
前記第１の接続された部分及び前記第２の接続された部分はスナップボタン、ロープ、ジッパー又は面ファスナーであることを特徴とする請求項４記載の着脱容易な衣服。
【請求項１２】
前記第１の接続された部分及び前記第２の接続された部分はスナップボタン、ロープ、ジッパー又は面ファスナーであることを特徴とする請求項５記載の着脱容易な衣服。
【手続補正２】
【補正対象書類名】明細書
【補正対象項目名】全文
【補正方法】変更
【補正の内容】
【考案の詳細な説明】
【技術分野】
【０００１】
本考案は、着脱容易な衣服に関し、特に１枚のシートから作製され、シートの側部で接続して衣服を形成する縁部を有する着脱容易な衣服に係わる。
【背景技術】
【０００２】
最近では、高齢化と低出生率は世界的にますます深刻になっており、それで介護を必要とする人口が増大している。人々が高齢化している場合には、臓器や手足の関節も高齢化している。軽度のケースでは、高齢者はまだ自由に歩くことができるが、重症の場合は、障害又は移動不能につながり、そして高齢者は長期的にベッドに横たわることになる。その結果、高齢者は介護者によって毎日のルーチンで援助を必要とする。
【０００３】
介護者について、過酷な作業の１つは、患者に対して彼／彼女の衣服を変更することを補助することである。寝たきりの患者は不動状態に近い。したがって、患者が介護者の助けを借りて衣服を変更しているとき介護者は患者の体をやっとの思いで移動して患者から汚れた衣服を取り除く必要がある。患者は介護者によって清潔な衣服に着用するが、これも困難な作業である。
【０００４】
したがって、介護者が患者に容易に着用できる衣服が必要とされ、もっと理想的には、患者であっても彼自身／彼女自身によって衣服を容易に着用でき、脱衣できることが好ましい。従来技術における欠点を解決する必要がある。
【考案の概要】
【考案が解決しようとする課題】
【０００５】
上記の説明によれば、本考案の目的は、着用者が横たわっている間に着用者に衣服を着用させる着脱容易な衣服を提供することである。
【課題を解決するための手段】
【０００６】
本考案の上記目的を達成するために、本考案は、第１のシート及び第２のシートを備える連続シートである着脱容易な衣服を提供するものである。第１のシートは第１の縁部及び第１の係合部を備え、第１の縁部は第１のシートの一側に配置され、第１の係合部は第１の縁部に隣接している。第２のシートは、第１のシートに接続され、第２の縁部、縫目及びタブを備える。第２の縁部は第２のシートの一側に配置され、縫目は第２の縁部に隣接して平行であり、タブは縫目及び第２の縁部間にあり、タブは第２の係合部を備え、それでタブは縫目に沿って折り畳まれ、第１のシートの第１の係合部は第２の係合部に個別に接続され、第１のシートの第１の縁部は縫目に対応している。
【０００７】
好ましくは、第１のシートの第１の係合部は、第２のシートの第２の係合部に接続され、第１のシート及び第２のシートは上衣に構成される。
【０００８】
好ましくは、第１のシートは、第１の布（生地）及び第２の布から成り、第１の布は第２の布に重ね合わされ上衣の前面にＶ形状を形成する。
【０００９】
好ましくは、第１のシートの第１の係合部は第２のシートの第２の係合部に接続され、第１のシート及び第２のシートはズボンに構成され、それで第１のシートは第１の内側縁部及び第１の接続された部分を備える。第１の内側縁部は第１のシートの第１の縁部に部分的に対応し、ズボンの２足の間にあり、第１の接続された部分は第１の内側縁部に隣接して平行である。第２のシートは第２の内側縁部、内側縫目、内側タブを備える。第２の内側縁部は第２の縁部に部分的に対応し、ズボンの２足の間にあり、内側縫目は第２の内側縁部に隣接して平行であり、内側タブは内側縫目及び第２の内側縁部の間にあり、内側タブは第２の接続された部分を備え、第２の接続された部分は第１の接続された部分に個別に接続される。
【００１０】
より好ましくは、ズボンはウエストバンドを備え、ウエストバンドは弾性バンド及び引き紐を備え、弾性バンドはウエストバンドに弾性的に接続され、引き紐はウエストバンドに挿通される。
【００１１】
好ましくは、第１の係合部及び第２の係合部は、スナップボタン、ロープ、ジッパー又は面ファスナーである。
【００１２】
より好ましくは、第１の接続された部分と第２の接続された部分は、スナップボタン、ロープ、ジッパー又は面ファスナーである。
【００１３】
本考案の着脱容易な衣服の利点は、衣料が一般的な大人と子供のためだけでなく、障害者、寝たきりの患者又は要看護高齢者のために着用できるということである。着用者が横たわっている間に第１の縁部及び第２の縁部の開放縁部を利用し、第１の接続された部分を第２の接続された部分に接続すると着用者は横たわっている間に衣服を容易に着用することができる。しかも、着脱容易な衣服は、前、後、左、右の区別を有していないので、ユーザが間違った着用方向を心配することはない。
【００１４】
本考案の他の目的、利点及び新規な特長は以下の詳細な説明から図面と併せて参照すれば一層明らかとなる。
【図面の簡単な説明】
【００１５】
【図１】図１は、本考案の着脱容易な衣服における好ましい実施例の斜視図である。
【図２Ａ】図２Ａは、本考案の着脱容易な衣服における第１の実施例の第１の動作図を示す。
【図２Ｂ】図２Ｂは、本考案の着脱容易な衣服における第１の好ましい実施例の第２の動作図を示す。
【図２Ｃ】図２Ｃは、本考案の着脱容易な衣服における第１の好ましい実施例の第３の動作図を示す。
【図３Ａ】図３Ａは、本考案の着脱容易な衣服における第１の好ましい実施例の正面斜視図である。
【図３Ｂ】図３Ｂは、本考案の着脱容易な衣服における第１の好ましい実施例の裏返し斜視図である。
【図４】図4は、本考案の着脱容易な衣服における第２の好ましい実施例の斜視図である。
【図５】図５は、本考案の着脱容易な衣服における第３の好ましい実施例の斜視図である。
【図６】図６は、本考案の着脱容易な衣服における第４の好ましい実施例の斜視図である。
【図７】図７は、本考案の着脱容易な衣服における第５の好ましい実施例の斜視図である。
【図８Ａ】図８Ａは、本考案の着脱容易な衣服における第５の好ましい実施例の第１の動作図を示す。
【図８Ｂ】図８Ｂは、本考案の着脱容易な衣服における第５の好ましい実施例の第２の動作図を示す。
【図８Ｃ】図８Ｃは、本考案の着脱容易な衣服における第５の好ましい実施例の第３の動作図を示す。
【図９Ａ】図９Ａは、本考案の着脱容易な衣服における第５の実施例の正面斜視図である。
【図９Ｂ】図９Ｂは、本考案の着脱容易な衣服における第５の好ましい実施例の裏返し斜視図である。
【図１０】図１０は、本考案の着脱容易な衣服における第６の好ましい実施例の斜視図である。
【図１１】図１１は、本考案の着脱容易な衣服における第７の好ましい実施例の斜視図である。
【考案を実施するための形態】
【００１６】
以下、本考案にしたがう着脱容易、即ち着衣、脱衣容易な衣服をその好ましい実施例について図面を参照して詳述する。
【００１７】
図１に示すように、本考案の第１の好ましい実施例は着脱容易な衣服を提供するもので、これは第１のシート１０及び第２のシート２０を備える連続シートである。
【００１８】
第１のシート１０は第１の縁部１１及び第１の係合部１２を備え、第１の縁部１１は第１のシート１０の一側に配置され、第１の係合部１２は第１の縁部１１に隣接している。第１のシート１０に接続された第２のシート２０は第２の縁部２１、縫目２２及びタブ２３を備える。第２の縁部２１は第２のシート２０の一側に配置され、縫目２２は第２の縁部２１に隣接して平行であり、タブ２３は縫目２２及び第２の縁部２１の間にあり、タブ２３は第２の係合部２３１を備え、それでタブ２３は縫い目２２に沿って折り畳まれ、第１の係合部１２は第２の係合部２３１に個別に接続され、第１の縁部１１は縫目２２に対応している。第１の係合部１２が第２の係合部２３１に接続されるとき、第１のシート１０及び第２のシート２０は上衣に構成される。好ましい実施例において、第１の係合部１２及び第２の係合部２３１はスナップボタン、ロープ、ジッパー又はＶＥＬＣＲＯ（登録商標）で販売されている面ファスナーで販売されている面ファスナーを含むが、これらに限定されるものではない。好ましい実施例において、第１の係合部１２は複数のソケットであり、第２の係合部２３１は複数のソケットに対応して留める複数のスタッドである。
【００１９】
図２Ａ及び図２Ｂに示すように、本考案の第１の好ましい実施例が使用されるとき、第１のシート１０の第１の縁部１１及び第２のシート２０の第２の縁部２１に因り上衣の一側は開放されている。上衣を着用するために、ユーザの一方の腕が上衣の第１の縁部１１及び第２の縁部２１から第１の縁部１１及び第２の縁部２１と反対側の上衣の他の側に通して上衣の他の側から下支えする（図２Ａに示す）。次いで、タブ２３は縫目２２に沿って第１の係合部１２に向かって折り畳まれ、第２の縁部２１及び第２の係合部２３１を留めるようにし、第１の縁部１１は縫目２２に対応し、第１の縁部１１及び第２の縁部２１に配置される上衣の側面から下支えして上衣の着用を完了する（図２Ｂに示す）。ユーザが上衣を着用するとき、最初に左腕が上衣に挿入することができ（図２Ｂに示す）、その後第１の係合部１２は右腕の周りにあり、それに対応して第２の係合部２３１に留められる。図１及び図２Ｃに示すように、またユーザの右腕は最初に上衣に挿入することができ、その後第１の係合部１２は左腕の周りにあり、それに対応して、第２の係合部２３１に留められる（図２Ｃに示すように、第２の係合部２３１及び第１の係合部１２は、それらが第２のシート２０によって覆われているので図示されていない）。したがって、着脱容易な衣服はユーザの習慣及びニーズに応じて着用することができる。図３Ａ及び図３Ｂに示すように、上衣が正規の方向（図３Ａに示す）又は裏返し（図３Ｂに示す）で装着されることに拘わらず、第１の係合部１２はそれに対応して第２の係合部２３１に留めることができ、上衣は間違った着用方向又は側の問題はない。
【００２０】
上述の説明によれば、本考案の第１の好ましい実施例における上衣は、高齢者、子供或いは障害患者、特に腕を移動することができない患者又は寝たきりの患者などの何れのユーザにも適しているので、患者は容易に衣服を変更することができる。
【００２１】
図４に示すように、第２の好ましい実施例及び第１の好ましい実施例の相違点は、第１の係合部１２Ａ及び第２の係合部２３１Ａがロープであることである。第１の係合部１２Ａは第２の係合部２３１Ａで結ばれて上衣はユーザの腕や上半身を覆うことができ、それによって上衣を着用することが達成できる。
【００２２】
図５に示すように、第３の好ましい実施例及び第１の好ましい実施例の相違点は、第１のシート１０Ｂの第１の係合部１２Ｂ及び第２のシート２０Ｂのタブ２３Ｂの第２の係合部２３１ＢはＶＥＬＣＲＯ（登録商標）で販売されている面ファスナーで販売されている面ファスナーであることである。第１の縁部１１Ｂは、第２の係合部２３１Ｂに接続された第１の係合部１２Ｂにより第２の縁部２１Ｂに接続することができ、それでユーザの腕及び上半身は第１のシート１０Ｂ及び第２のシート２０Ｂにより覆われるようにし、それによって上衣を着用することを達成する。
【００２３】
図６に示すように、第４の好ましい実施例及び第１の好ましい実施例の相違点は、第１のシート１０Ｃが第１の布１３Ｃ及び第２の布１４Ｃを有し、第１の布１３Ｃは第２の布１４Ｃに重ね合わされて、和服（きもの）に類似する上衣の前面にＶ形状を形成することである。上衣は容易に着用できるだけでなく、また着物に類似してフロントネックラインの形状をもたらし、この上衣を着用することの美的魅力を向上させる。
【００２４】
図７に示すように、第５の好ましい実施例及び第１の好ましい実施例の相違点は、第１の係合部１２Ｄは第２の係合部２３１Ｄに接続され、第１のシート１０Ｄ及び第２のシート２０Ｄはズボンに構成され、第１のシート１０Ｄは第１の内側縁部１５Ｄ及び第１の接続された部分１６Ｄを有することである。第１の内側縁部１５Ｄは、第１の縁部１１Ｄに部分的に対応し、ズボンの２足の間にある。第１の接続された部分１６Ｄは第１の内側縁部１５Ｄに隣接して平行である。第２のシート２０Ｄは第２の内側縁部２４Ｄ、内側縫目２５Ｄ及び内側タブ２６Ｄから成る。第２の内側縁部２４Ｄは第２の縁部２１Ｄに部分的に対応し、ズボンの足の間にある。内側縫目２５Ｄは第２の内側縁部２４Ｄに隣接して平行である。内側タブ２６Ｄは内側縫目２５Ｄ及び第２の内側縁部２４Ｄの間にあり、内側タブ２６Ｄは第２の接続された部分２６１Ｄを有し、第２の接続された部分２６１Ｄは第１の接続された部分１６Ｄに個別に接続される。さらに、着脱容易な衣服は、第１のシート１０Ｄ及び第２のシート２０Ｄ並びにそれに隣接して第１の縁部１１Ｄ及び第２の縁部２１Ｄ上に同所に配置されたウエストバンド３０Ｄを有する。ウエストバンド３０Ｄは、弾性バンド３１Ｄ及び引き紐３２Ｄを有し、弾性バンド３１Ｄは、ウエストバンド３０Ｄに弾性的に接続され、引き紐３２Ｄはウエストバンド３０Ｄに通して挿入される。好ましい実施例において、第１の接続された部分１６Ｄ及び第２の接続された部分２６１Ｄは、スナップボタン、ロープ、ジッパー又はＶＥＬＣＲＯ（登録商標）で販売されている面ファスナーであるが、これらに限定されるものではない。好ましい実施例において、第１の接続された部分１６Ｄは複数のソケットであり、第２の接続された部分２６１Ｄは複数のソケットに対応して留められる複数のスタッドである。
【００２５】
図８Ａ及び図８Ｂに示すように、本考案の第５の好ましい実施例を使用するとき、ズボンに構成された第１のシート１０Ｄ及び第２のシート２０Ｄは、高齢者、子供或いは障害患者、特に腕を移動することができない患者又は寝たきりの患者などの何れのユーザにも適している。したがって、第５の好ましい実施例は着脱容易なズボンを提供する。例えば、患者がベッドでズボンを着用せんとするとき、第２のシート２０Ｄは患者の尻及び足の背後に配置され、その後腰及び足は第１のシート１０Ｄが前方に移動することで覆われる。第１の縁部１１Ｄと第１の内側縁部１５Ｄが縫目２２Ｄ及び内側縫目２５Ｄに対応して配置される後、第１の係合部１２Ｄは第２の係合部２３１Ｄに接続され、第１の接続された部分１６は第２の接続された部分２６１Ｄに接続され、ズボンを着用することが完了する。ウエストバンド３０Ｄは腰にウエストバンド３０Ｄを固定するための引き紐３２Ｄによって結ばれ、ウエストバンド３０Ｄの弾性は弾性バンド３１Ｄにより調整することができ患者が不快に感じることはないようにしている。図７及び図８Ｃに示すように、好ましい実施例において、患者がズボンを着用するとき、第１のシート１０Ｄは患者の腰、尻及び足の後方に配置され、その後腰及び足は第２のシート２０Ｄを前方に移動させることによって覆われる。第１の縁部１１Ｄ及び第１の内側縁部１５Ｄは縫目２２Ｄ及び内側縫目２５Ｄに対応して個別に配置され、第１の係合部１２Ｄは第２の係合部２３１Ｄに接続され、第１の接続された部分１６Ｄはそれに対応して第２の接続された部分２６１Ｄに接続され、それでズボンを着用することができる（図８Ｃに示すように、第１の係合部１２Ｄ、第２の係合部２３１Ｄ、第１の接続された部分１６Ｄ及び第２の接続された部分２６１Ｄはそれらが第２のシート２０Ｄによって覆われているので図示されていない）。患者は、前面又は背面を決めることなく、また間違って着用する側を心配せずに、上述の態様にしたがうことによりズボンを着用することができる。
【００２６】
図９Ａ及び図９Ｂに示すように、ズボンが正規の方向（図９Ａに示す）又は裏返し（図９Ｂに示す）で装着されることに拘わらず、第１の係合部１２Ｄは第２の係合部２３１Ｄと、第１の接続された部分１６Ｄは第２の接続された部分２６１Ｄと対応して互いに留められ、このためズボンは間違った着用方向又は側の問題がないのである。
【００２７】
図１０に示すように、第６の好ましい実施例及び第５の好ましい実施例の違いは、第１の係合部１２Ｅ、第２の係合部２３１Ｅ、第１の接続された部分１６Ｅ及び第２の接続された部分２６１Ｅがロープであることである。第１の係合部１２Ｅは第２の係合部２３１Ｅと、第１の接続された部分１６Ｅは第２の接続された部分２６１Ｅと対応して互いに結ばれ、このため患者はズボンを容易に着用することができる。
【００２８】
図１１に示すように、第７の好ましい実施例及び第６の好ましい実施例の違いは、第１の係合部１２Ｆ、第２の係合部２３１Ｆ、第１の接続された部分１６Ｆ及び第２の接続された部分２６１Ｆは、ＶＥＬＣＲＯ（登録商標）で販売されている面ファスナーであることである。第１の係合部１２Ｆは第２の係合部２３１Ｆと、第１の接続された部分１６Ｆは第２の接続された部分２６１Ｆと対応して互いに接続でき、それで患者の腰、尻及び足が第１のシート１０Ｆ及び第２のシート２０Ｆで覆われ、患者はズボンを容易に着用することができる。
【００２９】
本考案のつかの特徴及び利点が本考案の構造及び特長と共に、上記説明に記載されているにも拘らず、その開示は単なる例示である。変更は、その詳細、特に形状、寸法及び部品の配置の問題として実用新案登録請求の範囲が表現している用語の広い一般的な意味によって示される全範囲に亘り考案の原理内で行うことができる。
【符号の説明】
【００３０】
１０・・・第１のシート
２０・・・第２のシート
１１・・・第１の縁部
２１・・・第２の縁部
１２・・・第１の係合部
２３１・・・第２の係合部
２２・・・縫目
２３・・・タブ
１２Ａ・・・第１の係合部
２３１Ａ・・・第２の係合部
１０Ｂ・・・第１のシート
２０Ｂ・・・第２のシート
１１Ｂ・・・第１の縁部
２１Ｂ・・・第２の縁部
１２Ｂ・・・第１の係合部
２３１Ｂ・・・第２の係合部
タブ・・・２３Ｂ
１０Ｃ・・・第１のシート
１３Ｃ・・・第１の布
１４Ｃ・・・第２の布
１０Ｄ・・・第１のシート
２０Ｄ・・・第２のシート
１１Ｄ・・・第１の縁部
２１Ｄ・・・第２の縁部
１２Ｄ・・・第１の係合部
２３１Ｄ・・・第２の係合部
１５Ｄ・・・第１の内側縁部
２４Ｄ・・・第２の内側縁部
１６Ｄ・・・第１の接続された部分
２６１Ｄ・・・第２の接続された部分
２５Ｄ・・・内側縫目
２６Ｄ・・・内側タブ
３０Ｄ・・・ウエストバンド
３１Ｄ・・・弾性バンド
３２Ｄ・・・引き紐
２２Ｄ・・・縫目
１２Ｅ・・・第１の係合部
２３１Ｅ・・・第２の係合部
１６Ｅ・・・第１の接続された部分
２６１Ｅ・・・第２の接続された部分
１２Ｆ・・・第１の係合部
２３１Ｆ・・・第２の係合部
１６Ｆ・・・第１の接続された部分
２６１Ｆ・・・第２の接続された部分
１０Ｆ・・・第１のシート
２０Ｆ・・・第２のシート